(57)【要約】【課題】突出動作を行う際にもストッパーが緩衝用部材によって抵抗を受け続けているため、その突出操作が重くなってしまい操作性が悪いものとなってしまっていた。【解決手段】軸筒内に弾撥部材によって後方に付勢された筆記部材が前後動可能に配置された出没式筆記具であって、その筆記部材の後退位置を規制する規制部を軸筒に設けると共に、その規制部に緩衝部を一体形成したことを第１の要旨とし、軸筒内に弾撥部材によって後方に付勢された筆記部材が前後動可能に配置された出没式筆記具であって、その筆記部材の後退位置を規制する規制部を軸筒に設けると共に、前記筆記部材にその規制部と接触する内方変形可能な緩衝部を一体形成したことを第２の要旨とした出没式筆記具。【選択図】  図１
2004255682.tif 000002
【特許請求の範囲】
【請求項１】
軸筒内に弾撥部材によって後方に付勢された筆記部材が前後動可能に配置された出没式筆記具であって、その筆記部材の後退位置を規制する規制部を軸筒に設けると共に、その規制部に緩衝部を一体形成したことを特徴とする出没式筆記具。
【請求項２】
軸筒内に弾撥部材によって後方に付勢された筆記部材が前後動可能に配置された出没式筆記具であって、その筆記部材の後退位置を規制する規制部を軸筒に設けると共に、前記筆記部材にその規制部と接触する内方変形可能な緩衝部を一体形成したことを特徴とする出没式筆記具。
【請求項３】
前記規制部を軸筒とは別部材で構成すると共に、それら規制部と軸筒とを連結せしめると共に、規制部を径方向に拡開可能としたことを特徴とする請求項１或いは、請求項２に記載の出没式筆記具。
【発明の詳細な説明】
【０００１】
【発明の属する技術分野】
本発明は、軸筒内に弾撥部材によって後方に付勢された筆記部材が前後動可能に配置された出没式筆記具に関する。
【０００２】
【従来の技術】
一方に筆記部が出入する開口を有し、他方の開放端から略軸線方向に延在し、係止部を有する案内溝が画成されたバレルと、内部にインクを貯蔵し、一方に筆記部が他方にノック部がそれぞれ形成されたインクタンクと、前記バレルとインクタンクとの間に配設され、インクタンクを筆記部の没入方向に付勢する弾性体とを備え、前記インクタンクに基部を介してクリップ部を設け、該クリップ部の基部を上記案内溝に嵌挿してなり、前記インクタンクのノック部を弾性体に抗して押圧すると、上記クリップ部の基部が案内溝の係止部に係止して筆記可能状態に保持され、上記クリップ部を解除操作することで係止部との係合を解除してインクタンクが復帰移動して前記筆記部を格納状態に移動するノック式筆記具において、前記バレルの案内溝に、上記クリップ部が移動する際にその移動に抵抗を与えて復帰移動速度を低減する緩衝手段を形成したノック式筆記具（特許文献１参照）や、軸の上端面から上方へ突出するノックカバーを下方へ押圧して筆記体の筆先部を軸下端口から突出させた状態で係止する手段と、その係止を解除する手段を備えるとともに、その係止を解除したときにノックカバー等の部材を上方へ復帰させる戻しバネを備え、その戻しバネの力でノックカバー等と一体的に上昇してストッパーとなる部材に対して当接することによりその上昇を停止する部材における当該当接箇所に柔軟性及び弾性を備えた緩衝用部材を取付けたノック式筆記具（特許文献２参照）が知られている。
【０００３】
【特許文献１】
特開平７−３２９４８６号公報（請求項１、第２図）。
【特許文献２】
特開平９−２７２２９６号公報（請求項１、図１、図３）
【０００４】
【発明が解決しようとする課題】
しかし、特許文献１に記載のものであっては、緩衝手段を別部材で構成しているため、部品点数が多く、部品費用や、組み立てに要する費用などを増加させてしまっていた。
又、特許文献２においては、突出動作を行う際にもストッパーが緩衝用部材によって抵抗を受け続けているため、その突出操作が重くなってしまい操作性が悪いものとなってしまっていた。
【０００５】
【課題を解決するための手段】
本発明は、軸筒内に弾撥部材によって後方に付勢された筆記部材が前後動可能に配置された出没式筆記具であって、その筆記部材の後退位置を規制する規制部を軸筒に設けると共に、その規制部に緩衝部を一体形成したことを第１の要旨とし、軸筒内に弾撥部材によって後方に付勢された筆記部材が前後動可能に配置された出没式筆記具であって、その筆記部材の後退位置を規制する規制部を軸筒に設けると共に、前記筆記部材にその規制部と接触する内方変形可能な緩衝部を一体形成したことを第２の要旨とする。
【０００６】
【作用】
組み立ての簡素化が図られ、又、突出動作時には、緩衝部が作用しない。
【０００７】
【実施例】
軸筒の内部にシャープペンシルが配置され、後部に配置されているノック部材を押圧操作することによって前記シャープペンシルが突出する、いわいる、出没式の筆記具（シャープペンシル）を１例として挙げ説明するが、これに限定されるものではない。内部に配置される物がボールペンであっても良いし、筆記具に限らず、電子入力ペンなどであっても良い。
軸筒１の前端には、先部２が一体形成されているが、別部材で構成し互いを螺着などの手段によって着脱自在に固定しても良い。また、軸筒１の内部には、中軸３が前後動自在に配置されており、その中軸３の先端には先具４が螺着などの手段によって着脱自在に固定されている。その先具４の先端には、芯を案内する芯保護管部５が一体形成されているが、別部材で構成し互いを圧入などの手段によって固定しても良い。これら中軸３や先具４は、常時は、弾撥部材６によって後方に付勢され、前記軸筒１内に収納されているが、中軸３が前進移動することによって、先部２の先端から突出し得るようになっている。
【０００８】
一方、前記軸筒１の後部には尾冠７が取り付けられ、その尾冠７には軸筒１の径方向に付勢されたクリップ８が固定されており、そのクリップ８の先端内側には玉部９が形成されている。そして、前記中軸３が前進し、その中軸３の後端部１０が玉部９に達すると、クリップ８の前方部分が軸筒１の窓孔１ａを介して径方向に倒れ込むように回転し、クリップ７の係合部１１が中軸４の後端部９に係合するのである。
ここで、前記クリップ８は、金属材質からなる弾性状のクリップ本体１２と樹脂材質からなる比較的弾性を有しない押圧操作部材１３とから構成されているが、これに限定されることはなく、クリップ本体を弾性状の樹脂材質から構成し、一方、押圧操作部材を弾性を有さない金属材質から構成するなどしても良い。そして、クリップ本体１２の後部はコ字形（クリップ基部）に形成されており、そのクリップ基部が前記軸筒１の後部に着脱自在に固定された前記尾冠７に圧入・固定されている。
【０００９】
次ぎに、前記軸筒１と尾冠７との連結構造について説明する。軸筒１の後部には、後端側壁部には、係合孔１４が対向した２箇所に形成されているが、３箇所などに形成しても良い。
一方、前記尾冠７は、硬質ではあるものの若干弾性変形可能な樹脂材質から形成されており、その尾冠７のの下方外周面には前記係合孔１４に係合する係合突起１５が形成されている。そして、その係合突起１５の位置と９０度回転した位置には、長手方向にスリット１６が形成されている。このスリット１６も対向した２箇所に形成されている。又、そのスリット１６の前方であって尾冠７の前端面には、弾性変形可能な突部１７が形成されている。尚、前記スリット１６の前端部は突部１７の部分に差し掛かるよう延設形成されている。これらスリット１６並びに、突部１７が本発明の緩衝部に相当する。
【００１０】
前記中軸３の内側には、芯タンク１８が摺動自在に配置されており、その芯タンク１８の前端には、芯の把持・解放を行うチャック体１９が固定されている。また、そのチャック体１９の前方部分には、チャック体１９の開閉を行うチャックリング２０が囲撓している。そして、チャック体１９の前方には、芯の後退を阻止するゴム状弾性体からなる芯戻り止め部材２１が位置しており、その芯戻り止め部材２１は前記先具４の内面に圧入・固定されている。符号２２は、前記芯タンク１８やチャック体１９などを後方に付勢するコイルスプリングなどの弾撥部材であり、中軸３と芯タンク１９との間に張設されている。
他方、前記芯タンク１８の後部には、鍔部２３が形成されており、中軸３が収納状態においては、前記尾冠７の突部１７に当接している。又、芯タンク１８の後端には、消しゴム２４が着脱自在に嵌入されていおり、又、その消しゴム２４を覆うようにノック部材２５が着脱自在に取り付けられている。
【００１１】
次に使用例について説明する。ノック部材２５を押圧すると、弾撥部材６の弾撥力に抗して前記中軸３並びに、芯タンク１８などが前進移動し、先部２の先端から先具４並びに、芯保護管部５が突出する。この時、中軸３の後端１０が、クリップ８の係合部１１に係合し、前記弾撥部材６の復帰力による後退動作が阻止される。ここで、一度戻した後、更にノック部材２５を押圧すれば、芯タンク１８やチャック体１９が弾撥部材２２の弾撥力に抗して前進し、芯の繰り出し操作が行われる。
再び、先具４を先部２内に収納したい場合には、前記クリップ７に固定された押圧操作部材１３の後部を軸筒１の方向に押圧する。この動作によってクリップ本体１２の尾冠７との接触部Ｓを支点とし、クリップ本体１２は前方部分が持ち上げられるように回転し、係合部１１と中軸３の後端１０との係合が解除される。この瞬間に前記中軸３が芯タンク１８などと共に弾撥部材６の復元作用によって後退する。その復元作用によって、芯タンク１８の鍔部２３が前記尾冠７の突部１７に激突するが、その衝撃力は突部１７とスリット１６によって緩和される。即ち、突部１７がスリット１６の方向に弾性変形し、その弾性変形が緩和作用となるのである。又、この際、尾冠７自体も拡開方向に若干弾性変形するため、尾冠１７の係合突起１５と軸筒１の係合孔１４との係合力が高まり、その結果、尾冠１７の軸筒１に対する脱落防止作用が高まる（図５参照）。
【００１２】
尚、前記中軸３が復帰した状態においては、芯タンク１８の鍔部２３が尾冠７突部１７の前端面に押し付けられるようなっている。芯タンク１８の後退位置が規制されることによって、チャック体１９が開放状態となり、万が一、芯が繰り出されている状態であっても、芯が芯タンク内に容易に埋没する。
【００１３】
第２例を図６、図７に示し説明する。尾冠以外の構成は、前記第１例と同様であるので、その説明を省略する。尾冠２６の前方部には、周方向に、且つ、軸方向に複数のスリット２７が部分的に形成されている。軸３が復帰した際、芯タンク１８の鍔部２３が尾冠２６の前端面に激突するが、その衝撃力は前記複数のスリットによって緩和される。つまり、尾冠２６の前方部分は、衝撃力によって軸線方向に弾性変形するのである。前記第１例に比し、尾冠２６の前端面に鍔部２３が周状面で当接するため、衝撃力を分散させることができ、安定した衝撃緩和が得られる。
第３例を図８〜図１１に示し説明する。芯タンク１８に緩衝部を設けた例である。本実施例の緩衝部は、芯タンク１８の中間部に設けた弾性片２８から構成されている。具体的に説明すると、芯タンク１８の中間部の対向した２箇所には、内方変形可能な外方に拡開した弾性片２８が形成されている。その弾性片２８は、中軸３が収納されている状態においては、尾冠２９の内径によって内方変形せしめられているが、突出状態においては自らの弾性復元力によって外方に拡開している（図９参照）。即ち、中軸３が収納される際には、前記弾性片２８が尾冠２９の内径によって徐々に内方変形せしめられる（図１１参照）。この弾性片１８の内方変形が衝撃緩和となっているのである。本例においては、中軸３の復帰の過程で緩衝緩和作用が開始されるため、より確実な緩和が得られる。又、弾性片１８が尾冠２９の内側に入り込むため、その尾冠２９の内方への変形が規制され、もって、尾冠２９の軸筒１に対する係合力が高まり脱落防止効果も高まる。
【００１４】
【発明の効果】
本発明は、軸筒内に弾撥部材によって後方に付勢された筆記部材が前後動可能に配置された出没式筆記具であって、その筆記部材の後退位置を規制する規制部を軸筒に設けると共に、その規制部に緩衝部を一体形成したことを第１の要旨とし、軸筒内に弾撥部材によって後方に付勢された筆記部材が前後動可能に配置された出没式筆記具であって、その筆記部材の後退位置を規制する規制部を軸筒に設けると共に、前記筆記部材にその規制部と接触する内方変形可能な緩衝部を一体形成したことを第２の要旨としたので、構造が簡単で、しかも、操作性が良好な出没式の筆記具を提供することができる。
【図面の簡単な説明】
【図１】本発明の第１例を示す外観図。
【図２】図１の要部縦断面図。
【図３】図１の斜視図。
【図４】図１の縦断面図。
【図５】作用を示す要部縦断面図。
【図６】第２例を示す要部縦断面図。
【図７】図６の斜視図。
【図８】第３例を示す要部縦断面図（没入状態）。
【図９】図８の斜視図。
【図１０】動作を示す縦断面図（突出状態）。
【図１１】動作を示す縦断面図（没入過程）
【符号の説明】
１      軸筒
１ａ    窓孔
２      先部
３      中軸
４      先具
５      芯保護管部
６      弾撥部材
７      尾冠
８      クリップ
９      玉部
１０      後端部
１１      係合部
１２      クリップ本体
１３      押圧操作部材
１４      係合孔
１５      係合突起
１６      スリット
１７      突部
１８      芯タンク
１９      チャック体
２０      チャックリング
２１      芯戻り止め部材
２２      弾撥部材
２３      鍔部
２４      消しゴム
２５      ノック部材
２６      尾冠
２７      スリット
２８      弾性片
２９      尾冠
Ｓ      接触部
【図１】
2004255682.tif 000003
【図２】
2004255682.tif 000004
【図３】
2004255682.tif 000005
【図４】
2004255682.tif 000006
【図５】
2004255682.tif 000007
【図６】
2004255682.tif 000008
【図７】
2004255682.tif 000009
【図８】
2004255682.tif 000010
【図９】
2004255682.tif 000011
【図１０】
2004255682.tif 000012
【図１１】
2004255682.tif 000013